(57)【特許請求の範囲】
【請求項１】
流体輸送管（１）に、これの管周壁（１Ａ）に形成された貫通孔（２）に連通する流路（Ｆ）を備えた継手（３）を、流体輸送管（１）の外周面との間に密封用の第１シール材（４）を介在した状態で外嵌固定するとともに、前記管周壁（１Ａ）の貫通孔（２）と、前記継手（３）の流路（Ｆ）を形成する流路壁（３Ａ）の内周面又はこれに内嵌された管部（２１）の内周面との間に亘って筒状のブッシュ（６）を挿入し、該ブッシュ（６）の流体輸送管（１）内に臨む一端部（６Ａ）と流体輸送管（１）の内周面との間を密封する密封手段（７）を設け、更に、前記ブッシュ（６）の外周面の軸芯方向に間隔を隔てた複数箇所で、かつ、継手（３）の流路壁（３Ａ）の内周面のシール位置及び管部（２１）の内周面のシール位置に対応する部位には、流路壁（３Ａ）の内周面又は管部（２１）の内周面に圧接される環状の第２シール材（８）を外嵌状態で選択的に装着する環状溝（９）を形成してある流体輸送管の接続継手構造。
【請求項２】
前記環状溝（９）が、ブッシュ（６）の挿入方向上手側ほど半径方向外方に位置するテーパー面（９ａ）を備えた溝形状に構成されている請求項１記載の流体輸送管の接続継手構造。
【請求項３】
前記ブッシュ（６）が塑性変形可能な金属製であり、前記環状溝（９）が、前記ブッシュ（６）の絞り加工にて形成されている請求項１又は２記載の流体輸送管の接続継手構造。
【発明の詳細な説明】
【０００１】
【発明の属する技術分野】
本発明は、上水道管、下水道管、ガス管又はプラント配管等の流体輸送管に対して、これの管周壁に形成された貫通孔に連通する流路を備えた分岐管や合流管を接続する場合に用いられる流体輸送管の接続継手構造に関する。
【０００２】
【従来の技術】
従来の流体輸送管の接続継手構造では、図１１に示すように、流体輸送管１の管周壁１Ａに形成された貫通孔２に連通する流路Ｆを備えた半円弧状の第１半割継手体３１と半円弧状の第２半割継手体３２とからなる２分割型の継手３のうち、前記流路Ｆを備えた一方の第１半割継手体３１を、流体輸送管１の外周面との間に密封用の環状の第１シール材（弾性パッキン）０４を介在した状態で外套するとともに、他方の第２半割継手体３２を、前記第１半割継手体３１に管径方向で相対向する状態で流体輸送管１の管周壁１Ａに外套させ、これら両半割継手体３１，３２同士を管軸芯方向に対して直交又はほぼ直交する方向からボルト５Ａ・ナット５Ｂにて着脱自在に締め付けて外嵌固定する。
そして、前記貫通孔２と前記流路Ｆを形成する流路壁３Ａの内周面との間に亘って筒状のブッシュ０６を挿入し、該ブッシュ０６の流体輸送管１側の一端部と流体輸送管１の内周面との間を密封する密封手段７を設けるとともに、前記流路壁３Ａの内周面には、ブッシュ０６の外周面に圧接される環状の第２シール材（弾性パッキン）０８を内嵌装着する環状凹部０９を形成したものがある（例えば、実公平４−６１２３９号公報参照）。
更に、前記密封手段７は、前記流体輸送管１内に内装された内装管０１０及びブッシュ０６の各々を熱溶融性の合成樹脂から構成するとともに、前記ブッシュ０６の流体輸送管１側の一端部０６Ａの先端を、前記内装管０１０のうちの前記貫通孔２を通して露呈する外周面に熱溶着したのち、前記管周壁１Ａの貫通孔２の内周面とブッシュ０６の外周面との間に硬化性樹脂０１１を充填して形成されていた。
【０００３】
【発明が解決しようとする課題】
上記従来の接続継手構造による場合は、前記流体輸送管１の外周面とこれに相対向する継手３の第１半割継手体３１の内面及びブッシュ０６の外面との間に形成される空隙Ｓが、前記第１シール材０４と第２シール材０８及び密封手段７とによって密封されているため、前記空隙Ｓに臨む流体輸送管１の外周面部分及び第１半割継手体３１の内面部分に錆が発生しても、この密封された空隙Ｓ内の酸素が消費された状態では、それ以上の錆の発生を抑制することができるとともに、発生した錆を前記空隙Ｓ内に封じ込めることができるから、前記密封空隙Ｓ内で発生した錆が、前記第１半割継手体３１内の流路Ｆ及び流体輸送管１内に流出することを防止することができる。
しかしながら、従来の流体輸送管の接続継手構造では、前記第２シール材０８を保持する環状凹部０９が、流体輸送管１に外套される大きな第１半割継手体３１の流路壁３Ａの内周面に形成されているため、それの製作に手間を要するばかりでなく、第１半割継手体３１側の環状凹部０９に第２シール材０８を装着する場合でも、第１半割継手体３１の流路Ｆを通して行わなければならず、第２シール材０８の装着作業に手間どり易い。
しかも、既設の流体輸送管１の外周面とこれに相対向する継手３の第１半割継手体３１の内面との間に形成される空隙Ｓを密封する必要が生じた場合、前記第１半割継手体３１も前記の環状凹部０９を備えたものに取り替えなければならず、その結果、交換部品点数の増大と交換作業工程数の増大とによって工期が長くなるとともに、施工コストも高騰する問題がある。
【０００４】
本発明は、上記実状に鑑みて為されたものであって、その目的は、第２シール材の保持構造を工夫することにより、製作の容易化とシール組付け作業の容易化とを図ることができるばかりでなく、既設の流体輸送管の外周面とこれに相対向する継手の内面との間に形成される空隙を密封構造に改造する場合でも、施工期間面及び施工コスト面で有利に実施することのできる流体輸送管の接続継手構造を提供する点にある。
【０００５】
【課題を解決するための手段】
上記目的を達成するために、本発明の請求項１記載の流体輸送管の接続継手構造の特徴構成は、流体輸送管に、これの管周壁に形成された貫通孔に連通する流路を備えた継手を、流体輸送管の外周面との間に密封用の第１シール材を介在した状態で外嵌固定するとともに、前記管周壁の貫通孔と、前記継手の流路を形成する流路壁の内周面又はこれに内嵌された管部の内周面との間に亘って筒状のブッシュを挿入し、該ブッシュの流体輸送管内に臨む一端部と流体輸送管の内周面との間を密封する密封手段を設け、更に、前記ブッシュの外周面の軸芯方向に間隔を隔てた複数箇所で、かつ、継手の流路壁の内周面のシール位置及び管部の内周面のシール位置に対応する部位には、流路壁の内周面又は管部の内周面に圧接される環状の第２シール材を外嵌状態で選択的に装着する環状溝を形成してある点にある。
上記特徴構成では、流体輸送管の外周面と継手の内面及びブッシュの外周面との間に形成された空隙、或いは、流体輸送管の外周面と継手の内面と該継手の流路壁の内周面に内嵌された管部の周面及びブッシュの外周面とで形成された空隙を、前記第１シール材と第２シール材及び密封手段により密封することができるので、この密封された空隙内で発生した錆が、前記継手の流路及び流体輸送管内に流出することを防止することができる。
しかも、前記第２シール材を外嵌装着するための環状溝がブッシュの外周面に形成されているが故に、継手側にはシール保持のための加工が一切不要で、継手の流路壁に第２シール材を保持するための構成が備えられていない既設の継手にも使用することができるとともに、ブッシュに対する第２シール材の装着作業も、継手外の広い空間において容易に行うことができる。
それ故に、ブッシュに第２シール材保持用の環状溝を形成するだけの簡単かつ安価な改造をもって、継手の製作の容易化とシール組付け作業の容易化とを図ることができるばかりでなく、既設の流体輸送管の外周面とこれに相対向する継手の内面との間に形成される空隙を密封構造に改善する場合でも、継手はそのまま使用することができるから、ブッシュ及び第２シール材のみを準備するだけでよく、施工期間の短縮と施工コストの低廉化を図ることができる。
更に、前記ブッシュに形成された複数の環状溝のうち、シールすべき継手の流路壁の内周面のシール位置又は該流路壁の内周面に内嵌された管部の内面のシール位置に対応する環状溝に、前記第２シール材を選択的に外嵌装着することができるから、管部が内嵌されない継手、及び、管部の挿入長さが異なる継手にも使用することができ、単一のブッシュをもって既設の流体輸送管の接続継手構造に対する適用範囲をコスト面及び取扱面で有利に拡げることができる。
【０００６】
本発明の請求項２記載の流体輸送管の接続継手構造の特徴構成は、前記環状溝が、ブッシュの挿入方向上手側ほど半径方向外方に位置するテーパー面を備えた溝形状に構成されている点にある。
上記特徴構成では、前記ブッシュを継手の流路壁に挿入し、第２シール材が流路壁の内周面に圧接されたのちは、第２シール材が、環状溝のテーパー面に押圧されて、流路壁の内周面に圧接された状態で、流体輸送管の管周壁に形成された貫通孔側に向かって摺動するので、第２シール材は環状溝のテーパー面を乗り上げる方向に移動する。
従って、前記ブッシュが、管周壁の貫通孔と継手の流路を形成する流路壁の内周面との間に亘って挿入された装着状態では、第２シール材が環状溝のテーパー面に乗り上げて、該テーパー面により第２シール材がブッシュの半径方向外方に押圧されるので、流路壁の内周面に対する第２シール材の圧接力を更に高めることができる。
【０００７】
本発明の請求項３記載の流体輸送管の接続継手構造の特徴構成は、前記ブッシュが塑性変形可能な金属製であり、前記環状溝が、前記ブッシュの絞り加工にて形成されている点にある。
上記特徴構成では、第２シール材を外嵌装着するための環状溝をブッシュの絞り加工によって簡単に形成することができるとともに、ブッシュ自身の機械的強度も同時に向上することができる。
【０００８】
また、本発明の流体輸送管の接続継手構造においては、前記密封手段を構成するに、前記管周壁の貫通孔の内周面とブッシュの外周面との間に、前記貫通孔よりも長い筒状の弾性シール材を、少なくとも一端が流体輸送管内に突出する状態で介在させたのち、前記ブッシュの一端部を、前記弾性シール材の一端を圧縮する状態で流体輸送管の内周面に沿って半径方向外方に折り曲げて塑性変形させてもよい。
上記構成では、従来のようにブッシュを流体輸送管側に熱溶着する必要がないので、内周面に熱溶融性の内装管が内装されていない流体輸送管にも使用することができ、既設の流体輸送管の接続継手構造に対する適用範囲を拡げることができる。
しかも、前記流路壁の貫通孔の内周面とブッシュの外周面との間に弾性シール材を介在させることにより、前記流路壁の貫通孔の内周面とブッシュの外周面との間に接着剤や硬化性樹脂又はセメントを充填する場合のように、これら接着剤や硬化性樹脂又はセメントが硬化するまで組付作業を中断する必要がなく、作業能率の向上を図ることができる。
更に、前記貫通孔よりも長い筒状の弾性シール材を介在させるとともに、流体輸送管の内周面とブッシュの外周面との間を弾性シール材の一端を介してシールしているので、ブッシュ及び流体輸送管が異種金属同士であっても、ブッシュと流体輸送管とが直接接触することがなく、異種金属同士の接触に起因する貫通孔内周面及びその周縁部分からの錆の発生を防止することができる。
【０００９】
更に、本発明の流体輸送管の接続継手構造においては、前記弾性シール材が、前記管周壁の貫通孔の内周面全域を密封する状態で、該貫通孔の内周面と前記ブッシュの外周面との間に介在されていてもよい。
上記構成では、前記流体輸送管の外周面と継手の内面及びブッシュの外周面との間に形成された空隙、或いは、流体輸送管の外周面と継手の内面と該継手の流路壁の内周面に内嵌された管部の周面及びブッシュの外周面とで形成された空隙内に錆の発生の要因となる流体が封入されていても、前記貫通孔の内周面がこの封入された流体にさらされることがないので、この貫通孔の内周面からの錆の発生を防止することができる。
【００１０】
【発明の実施の形態】
〔第１実施形態〕
図１と図２は、鋳鉄管、鋼管又は塩化ビニル管等からなる流体輸送管１（上水道管、下水道管、ガス管又はプラント配管等）の管周壁１Ａに貫通孔２を形成して、該貫通孔２に分流管又は合流管等の分岐管Ｐを連通接続するための本発明の流体輸送管の接続継手構造の第１実施形態を示し、前記流体輸送管１には、これの管周壁１Ａに形成された貫通孔２に連通する流路Ｆを備えた半円弧状の第１半割継手体３１と半円弧状の第２半割継手体３２とからなる２分割型の鋳物製の継手３のうち、前記流路Ｆを備えた一方の第１半割継手体３１を外套するとともに、他方の第２半割継手体３２を、前記第１半割継手体３１に管径方向で相対向する状態で流体輸送管１の管周壁１Ａに外套させ、これら各半割継手体３１，３２の前記流体輸送管１に対する管周方向両端縁に一体形成されているフランジ３１Ａ，３２Ａ同士を管軸芯方向に対して直交又はほぼ直交する方向からボルト５Ａ・ナット５Ｂにて着脱自在に締め付けて外嵌固定されている。
【００１１】
前記第１半割継手体３１の内面と流体輸送管１の外周面との間には、前記管周壁１Ａの貫通孔２を囲む状態で鞍の輪郭形状にほぼ沿う合成ゴム製、例えば、エチレン−プロピレン−ジエン共重合ゴム加硫物（以下、ＥＰＤＭと称する。）製の第１分割シール体４Ａが介在されているとともに、前記第２半割継手体３２の内面と流体輸送管１の外周面との間には、前記第１分割シール体４Ａと管径方向で相対向する状態で設けられ、前記第１分割シール体４Ａと同様に構成された第２分割シール体４Ｂが介在されている。
そして、前記両分割シール体４Ａ，４Ｂの流体輸送管１の管軸芯方向に沿う側縁同士を突き合わせた状態で、該突合せ部分を前記両半割継手体３１，３２のフランジ３１Ａ，３２Ａ間に挾持させることにより、両分割シール体４Ａ，４Ｂからなる密封用の第１シール材４をもって、前記貫通孔２と流体輸送管１の外部とが、該流体輸送管１の外周面と継手３の内面との間に形成される隙間を通して連通することを防止できるように構成されている。
【００１２】
前記貫通孔２と前記第１半割継手体３１の流路Ｆを形成する流路壁３Ａの内周面との間に亘っては、塑性変形可能な金属製、例えば、ステンレス製の筒状のブッシュ６が挿入されているとともに、該ブッシュ６の流体輸送管１内に臨む一端部６Ａと流体輸送管１の内周面との間には、前記ブッシュ６と流体輸送管１との間隙を密封する密封手段７が設けられている。
【００１３】
前記ブッシュ６は、前記管周壁１Ａの貫通孔２の内周面に沿う小径部分６Ａと、前記第１半割継手体３１の流路Ｆを形成する流路壁３Ａの内周面に沿い、かつ、前記貫通孔２の内径よりも大なる外径を備えた大径部分６Ｂとから構成されていて、前記小径部分６Ａをもって前記流体輸送管１内に臨む前記一端部６Ａが形成されているとともに、これら小径部分６Ａと大径部分６Ｂとの境界となる段部６Ｃが、ブッシュ６の流体輸送管１内側への挿入量を規制する規制部に構成されている。
前記ブッシュ６の大径部分６Ｂの外周面には、該ブッシュ６の軸芯方向に間隔を隔てた２箇所で、かつ、前記流路壁３Ａの内周面のシール位置及び図８〜図１０に示すように流路壁３Ａの内周面に内嵌された管部２１の内周面のシール位置に対応する部位に、前記第１半割継手体３１の流路壁３Ａの内周面又は管部２１の内周面に圧接される合成ゴム製、例えば、ＥＰＤＭ製の環状の第２シール材８が外嵌状態で選択的に装着される半円弧状に窪む環状溝９が絞り加工にて形成されていて、これら両環状溝９のうち、前記小径部分６Ａに近接する側の環状溝９に前記第２シール材８が外嵌装着されている。
尚、当該第１実施形態では、前記第２シール材８をブッシュ６の小径部分６Ａに近接する側の環状溝９に外嵌装着した状態を例示しているが、前記第１半割継手体３１の流路壁３Ａの内周面の形態に応じて、前記第２シール材８をブッシュ６の小径部分６Ａから離間する側の環状溝９に外嵌装着してもよい。つまり、前記第２シール材８を外嵌装着する環状溝９は、前記流路壁３Ａの内周面の形態に応じて選択的に使用される。
また、上記第１実施形態では、前記ブッシュ６の軸芯方向２箇所に形成した環状溝９の一方に第２シール材８を外嵌装着したが、前記両環状溝９の各々に第２シール材８を外嵌装着してもよい。
【００１４】
前記ブッシュ６の小径部分６Ａの外周面には、前記貫通孔２及び小径部分６Ａよりも軸芯方向で長い合成ゴム製、例えば、ＥＰＤＭ製の筒状の弾性シール材１０が密着状態で外装されていて、前記貫通孔２と第１半割継手体３１の流路壁３Ａの内周面との間に亘ってブッシュ６を挿入した状態では、前記管周壁１Ａの貫通孔２の内周面とブッシュ６の小径部分６Ａの外周面との間に前記弾性シール材１０が圧入状態で介在され、この弾性シール材１０の一端が流体輸送管１内に突出するとともに、この弾性シール材１０の他端が流体輸送管１の外周面の貫通孔２周縁部とブッシュ６の段部６Ｃとの間を通して流体輸送管１外に突出する。
この状態では、前記弾性シール材１０の外周面が、管周壁１Ａの貫通孔２の内周面全域に密着して、弾性シール材１０がこの貫通孔２の内周面全域を流体輸送管１の内外に対して密封する状態で、該貫通孔２の内周面とブッシュ６の外周面との間に介在されている。
【００１５】
そして、前記管周壁１Ａの貫通孔２の内周面とブッシュ６の小径部分６Ａの外周面との間に前記弾性シール材１０を介在させたのち、ブッシュ６の段部６Ｃを弾性シール材１０の他端を介して流体輸送管１の外周面に押圧しながら、前記ブッシュ６の小径部分６Ａの開口側先端部６ａを、弾性シール材１０の一端を圧縮する状態で流体輸送管１の内周面に沿って半径方向外方に折り曲げて塑性変形させると、弾性シール材１０の一端が、流体輸送管１の内周面とブッシュ６の小径部分６Ａの開口側先端部６ａとの間で挾持されて、前記ブッシュ６と流体輸送管１との間隙を密封する前記密封手段７が構成される。
【００１６】
前記ブッシュ６の前記開口側先端部６ａを、流体輸送管１の内周面に沿って半径方向外方に折り曲げて塑性変形させる折曲げ手段としては各種のものが存在するが、当該第１実施形態では、図６に示すように、第１半割継手体３１の流路Ｆを通して折曲げ操作する折曲げ手段１１の一例を示し、この折曲げ手段１１には、前記ブッシュ６の小径部分６Ａ内に、先端側が前記開口側先端部６ａから流体輸送管１内に突出する状態にまで圧入される弾性体（合成ゴム等）１２と、該弾性体１２を圧入する押圧体１３、及び、ブッシュ６の小径部分６Ａ内に圧入された前記弾性体１２を押圧体１３との間で挾圧して、弾性体１２をブッシュ６の軸芯方向に沿って圧縮変形させるとともに、該弾性体１２の前記開口側先端部６ａから突出する部分をブッシュ６の半径方向外方に弾性的に膨出変形させる圧縮体１４とが備えられてる。
そして、前記弾性体１２を前記ブッシュ６の小径部分６Ａ内に圧入し、圧縮体１４をその操作ロッド１５を介して弾性体１２を圧縮する方向に移動操作すると、弾性体１２の突出部分がブッシュ６の半径方向外方に膨出変形し、この膨出部分が前記ブッシュ６の小径部分６Ａの開口側先端部６ａを押圧して、この押圧力により前記開口側先端部６ａが流体輸送管１の内周面に沿って半径方向外方に折り曲げられて塑性変形する。
【００１７】
上記の構成によれば、前記流体輸送管１の外周面と、前記貫通孔２に連通する流路Ｆを備えた第１半割継手体３１と第２半割継手体３２とからなる継手３の内面及びブッシュ６の大径部分６Ｂ外周面との間に形成された空隙Ｓを、前記第１シール材４と第２シール材８及び密封手段７を構成する弾性シール材１０により密封することができる。
【００１８】
図１に示すように、前記分岐管Ｐは、前記流体輸送管１の外周面に外嵌固定された第１半割継手体３１の流路壁３Ａの先端側開口部に、接続手段の一例であるボルト１６Ａ・ナット１６Ｂにて着脱自在に連通接続される。
【００１９】
次に、当該第１実施形態の流体輸送管の接続継手構造の施工工程を説明すると、図３に示すように、前記流体輸送管１の外周面に第１半割継手体３１と第２半割継手体３２とからなる継手３を外嵌固定し、図示しないが、第１半割継手体３１の流路壁３Ａの前記先端開口部に穿孔機を装着して、該穿孔機の穿孔部を流路Ｆを通して流体輸送管１の管周壁１Ａに移動させて貫通孔２を穿孔形成し、図４と図５に示すように、前記穿孔機を取り外したのち、前記第２シール材８と弾性シール材１０とを備えたブッシュ６を、貫通孔２と第１半割継手体３１の流路壁３Ａの内周面との間に亘って挿入する。
そして、図６に示すように、前記折曲げ手段１１にて前記ブッシュ６の小径部分６Ａの開口側先端部６ａを折り曲げて塑性変形し、その後、弾性体１２に対する挾圧状態を解除して該弾性体１２を弾性復元させ、折曲げ手段１１を第１半割継手体３１の流路Ｆから抜き取ることにより、流体輸送管の接続継手構造の施工工程が完了する。
【００２０】
〔第２実施形態〕
図７は、前記第１実施形態のブッシュ６の別実施形態を示し、前記ブッシュ６の外周面に形成されている環状溝９が、ブッシュ６の挿入方向上手側である大径部分６Ｂの開口側ほど半径方向外方に位置するテーパー面９ａを備えた溝形状に構成されていてもよい。
上記の構成によれば、前記ブッシュ６を継手３の流路壁３Ａに挿入し、前記第２シール材８が該流路壁３Ａの内周面に圧接されたのちは、第２シール材８が、前記環状溝９のテーパー面９ａに押圧されて、前記流路壁３Ａの内周面に圧接された状態で、前記流体輸送管１の管周壁１Ａに形成された貫通孔２側に向かって摺動するので、前記第２シール材８はテーパー面９ａを乗り上げる方向に移動する。
従って、前記ブッシュ６が、前記貫通孔２と前記第１半割継手体３１の流路Ｆを形成する流路壁３Ａの内周面との間に亘って挿入された装着状態では、第２シール材８が前記環状溝９のテーパー面９ａに乗り上げて、該テーパー面９ａにより第２シール材８がブッシュ６の半径方向外方に押圧されるので、第２シール材８の流路壁３Ａの内周面に対する圧接力を、ブッシュ６の挿入に伴って更に高めることができる。
【００２１】
〔第３実施形態〕
図８と図９は、前記第１実施形態の別実施形態を示し、前記継手３のうち、第１半割継手体３１の流路壁３Ａの先端側開口部に仕切り弁２０が設けられていて、前記流体輸送管１の管周壁１Ａに形成された貫通孔２に連通する流路Ｆが、第１半割継手体３１の流路壁３Ａと仕切り弁２０の管部２１の管周壁２１Ａとから形成されている。
前記仕切り弁２０は前記流路Ｆを開閉操作するものであって、この仕切り弁２０の開閉操作により、前記流体輸送管１内を流れる流体の流通を止めない不断流状態でも、流体輸送管の接続継手構造の施工を行うことができる。
【００２２】
前記仕切り弁２０は、前記管部２１と、該管部２１の外周面に設けられた弁箱２２内に配置された弁棒２３、及び、前記弁棒２３に螺合され、この弁棒２３の回転操作により流路Ｆ内に突出して該流路Ｆを閉鎖する位置と、弁箱２２内に退避して前記流路Ｆを開放する位置とに亘って出退移動する弁体２４とから構成されている。
【００２３】
前記管部２１は、第１半割継手体３１の流路壁３Ａの先端側開口部に形成された受口部分３ａに差し込まれて内嵌されているとともに、前記管部２１と流路壁３Ａとがボルト２５Ａ・ナット２５Ｂにて締付け固定されている。
また、前記受口部分３ａに差し込まれた管部２１の挿入口部分の開口部２１ａの内径は、前記第１半割継手体３１の流路壁３Ａの最小内径よりも僅かに小で、かつ、前記第１実施形態で説明したブッシュ６の最大外径よりも大に構成されていて、前記ブッシュ６を貫通孔２と管部２１の内周面との間に亘って挿入すると、前記管部２１の内面のうち、挿口部分の開口部２１ａの内周面が、前記ブッシュ６の両環状溝９のうちの小径部分６Ａに近接する側の環状溝９に対応し、この対応する環状溝９に前記第２シール材８を外嵌装着した状態で、該第２シール材８が前記挿口部分の開口部２１ａの内周面に圧接される。
【００２４】
上記の構成によれば、前記流体輸送管１の外周面と、前記貫通孔２に連通する流路Ｆを備えた第１半割継手体３１と第２半割継手体３２とからなる継手３の内面、第１半割継手体３１の流路壁３Ａの内周面に内嵌された管部２１の周面及びブッシュ６の大径部分６Ｂの外周面とで形成された空隙Ｓを、前記第１シール材４と第２シール材８及び前記密封手段７を構成する弾性シール材１０により密封することができる。
【００２５】
尚、図８に示すように、前記流体輸送管１に連通接続される分岐管Ｐは、前記管部２１の挿口部分とは反対側の開口部に、接続手段の一例であるボルト１６Ａ・ナット１６Ｂにて着脱自在に連通接続される。
【００２６】
次に、当該第２実施形態の流体輸送管の接続継手構造の施工工程を説明すると図示しないが、前記流体輸送管１の外周面に第１半割継手体３１と第２半割継手体３２とからなる継手３を外嵌固定し、前記第１半割継手体３１の流路壁３Ａに仕切り弁２０を装着したのち、前記管部２１の前記分岐管Ｐ接続側の開口部に穿孔機を装着する。
そして、前記穿孔機の穿孔部を前記流路Ｆを通して流体輸送管１の管周壁１Ａに移動させて貫通孔２を穿孔形成し、前記穿孔機を取り外したのち、前記折曲げ手段１１の弾性体１２に前記ブッシュ６を外嵌保持させた状態で、この折曲げ手段１１を管部２１の前記分岐管Ｐ接続側の開口部に装着して、前記第２シール材８と弾性シール材９とを備えたブッシュ６を、貫通孔２と管体２１の内周面との間に亘って挿入する。
次に、前記折曲げ手段１１にて前記ブッシュ６の小径部分６Ａの開口側先端部６ａを折り曲げて塑性変形し、その後、弾性体１２に対する挾圧状態を解除して該弾性体１２を弾性復元させ、折曲げ手段１１を前記流路Ｆから抜き取ることにより、流体輸送管の接続継手構造の施工工程が完了する。
尚、前記貫通孔２の穿孔工程以降の工程を、前記穿孔機及び折曲げ手段１１自体により、管部２１の前記分岐管Ｐ接続側の開口部を閉塞する状態で行うとともに、穿孔機の着脱作業時及び折曲げ手段１１の着脱作業時には、仕切り弁２０を操作して前記流路Ｆを閉鎖することにより、前記不断流状態で施工することができる。
その他の構成は前記第１実施形態と同様に構成されている。
【００２７】
〔第４実施形態〕
図１０は前記第２実施形態の別実施形態を示し、前記ブッシュ６を貫通孔２と管部２１の内周面との間に亘って挿入した状態で、管部２１の内面のうち、挿口部分の開口部２１ａの内周面が、前記ブッシュ６の両環状溝９のうちの小径部分６Ａから離間する側の環状溝９に対応する場合は、この対応する環状溝９に前記第２シール材８を外嵌装着することにより、該第２シール材８を前記挿口部分の開口部２１ａの内周面に圧接することができる。
その他の構成は前記第２実施形態と同様に構成されている。
【００２８】
〔その他の実施形態〕
１．前記継手３は流体輸送管１の管周方向に沿って３分割された３分割型の継手３であってもよく、この場合は、その分割継手体の１つに前記流路Ｆを形成する流路壁３Ａを設ける。
２．前記第１シール材４の構成は、前記各実施例のものに限定されることはなく、継手３の構成に応じて適宜変更されるものである。
３．前記第１半割継手体３１と第２半割継手体３２とが、ヒンジにより揺動自在に連結されているものであってもよい。
４．前記第１シール材４、第２シール材８、弾性シール材１０の各々は、ＥＰＤＭ製のものに限定されるものではなく、適宜変更が可能である。例えば、スチレン−ブタジエンゴム（ＳＢＲ）製であってもよい。
５．前記継手３は鋳物製に限定されるものではなく、硬質の合成樹脂製であってもよい。
６．前記ブッシュ６はステンレス製に限定されるものではなく、塑性変形可能でリン脱酸銅で形成してもよく、また、耐蝕性に優れた合成樹脂で形成してもよい。
７．前記環状溝９は、前記ブッシュ６の軸芯方向に間隔を隔てた２箇所に形成されているものに限定されるものではなく、１箇所に形成されていてもよく、また、３箇所以上に形成されていてもよい。
８．前記環状溝９は、ブッシュ６の絞り加工にて形成されるものに限定されることはなく、削り出し加工や型加工にて形成されているものであってもよい。
９．前記流体輸送管１内に熱溶融性の合成樹脂から構成された内装管が内装されていてもよい。この場合、前記ブッシュ６の小径部分６Ａの開口側先端部６ａを内装管の内周面に沿って半径方向外方に折り曲げて塑性変形させる。
１０．前記流体輸送管１内に熱溶融性の合成樹脂から構成された内装管が内装されている場合は、前記ブッシュ６を熱溶融性の合成樹脂から構成することにより、前記密封手段７を本発明の従来技術と同様に構成してもよい。
【００２９】
尚、特許請求の範囲の項に図面との対照を便利にするために符号を記すが、該記入により本発明は添付図面の構成に限定されるものではない。
【図面の簡単な説明】
【図１】流体輸送管の管径方向に沿う縦断面図
【図２】流体輸送管の管軸芯方向に沿う縦断面図
【図３】施工工程を示す要部の断面図
【図４】施工工程を示す要部の断面図
【図５】施工工程を示す要部の断面図
【図６】施工工程を示す要部の断面図
【図７】第２実施形態の要部の断面図
【図８】第３実施形態の流体輸送管の管径方向に沿う縦断面図
【図９】第３実施形態の流体輸送管の管軸芯方向に沿う縦部分断面図
【図１０】第４実施形態の流体輸送管の管軸芯方向に沿う縦部分断面図
【図１１】従来技術の流体輸送管の管径方向に沿う縦断面図
【符号の説明】
１    流体輸送管
１Ａ  管周壁
２    貫通孔
３    継手
３Ａ  流路壁
４    第１シール材
６    ブッシュ
６Ａ  一端部
７    密封手段
８    第２シール材
９    環状溝
１０  弾性シール材
２１  管部
Ｆ    流路
【図１】
0003620911.tif 000002
【図２】
0003620911.tif 000003
【図３】
0003620911.tif 000004
【図４】
0003620911.tif 000005
【図５】
0003620911.tif 000006
【図６】
0003620911.tif 000007
【図７】
0003620911.tif 000008
【図８】
0003620911.tif 000009
【図９】
0003620911.tif 000010
【図１０】
0003620911.tif 000011
【図１１】
0003620911.tif 000012